(57)【要約】【課題】接着剤の塗布を不要として、一部の回路素子に対する封止用樹脂を活用して非封止回路素子の耐振強度を向上させることのできる車両用制御装置、およびその製造方法を提供する。【解決手段】車両用制御装置において、カバー１４０には、回路基板１２０側に設けられて、内外を連通させる連通孔１４１が設けられており、封止用樹脂１５０の一部は、回路基板に対して他の回路素子１３０Ｂの領域と同一の厚みで、連通孔を通してカバー内の空間において、非封止回路素子１３０Ａの回路基板側のみに充填されており、更に、カバーには、封止用樹脂の表面位置よりも上側の領域に、内外を連通させるための空気経路１４２が形成されるようにする。【選択図】図２
2018093032.tif 000002
【特許請求の範囲】
【請求項１】
回路基板（１２０）と、
前記回路基板上に実装された複数の回路素子（１３０）と、
複数の前記回路素子のうち、樹脂封止することが望ましくない非封止回路素子（１３０Ａ）を覆うカバー（１４０）と、
複数の前記回路素子のうち、前記非封止回路素子を除く他の回路素子（１３０Ｂ）を封止する封止用樹脂（１５０）と、を備える車両用制御装置において、
前記カバーには、前記回路基板側に設けられて、内外を連通させる連通孔（１４１）が設けられており、
前記封止用樹脂の一部は、前記回路基板に対して前記他の回路素子の領域と同一の厚みで、前記連通孔を通して前記カバー内の空間において、前記非封止回路素子の前記回路基板側のみに充填されており、
更に、前記カバーには、前記封止用樹脂の表面位置よりも上側の領域に、内外を連通させるための空気経路（１４２）が形成された車両用制御装置。
【請求項２】
前記空気経路には、前記空気経路を塞ぐ閉塞部材（１５１、１５０、１６１、１６２）が設けられた請求項１に記載の車両用制御装置。
【請求項３】
前記閉塞部材は、前記封止用樹脂とは異なる他の封止用樹脂（１５１）から形成された請求項２に記載の車両用制御装置。
【請求項４】
前記閉塞部材は、前記封止用樹脂（１５０）の一部によって形成された請求項２に記載の車両用制御装置。
【請求項５】
前記閉塞部材は、弾性部材（１６１）から形成された請求項２に記載の車両用制御装置。
【請求項６】
前記閉塞部材は、ネジ部材（１６２）から形成された請求項２に記載の車両用制御装置。
【請求項７】
前記カバーは、前記回路基板上に設けられる回路用部品（１３０Ｃ）と一体的に形成された請求項１〜請求項６のいずれか１つに記載の車両用制御装置。
【請求項８】
回路基板（１２０）上に複数の回路素子（１３０）を実装する第１工程と、
複数の前記回路素子のうち、樹脂封止することが望ましくない非封止回路素子（１３０Ａ）を前記回路基板上で覆うカバー（１４０）を準備して、前記カバーの前記回路基板側に前記カバーの内外を連通させる連通孔（１４１）と、前記連通孔の前記回路基板側とは反対側に前記カバーの内外を連通させる空気経路（１４２）とを予め設けておき、前記カバーを、前記非封止回路素子を覆うように前記回路基板にセットする第２工程と、
前記第２工程における前記回路基板、複数の前記回路素子、および前記カバーをチャンバー（２１０）内に挿入して、前記チャンバー内を大気圧に対して減圧する第３工程と、
前記減圧した状態で、複数の前記回路素子のうち、前記非封止回路素子を除く他の回路素子（１３０Ｂ）を覆うように流動性のある状態の封止用樹脂（１５０）を供給すると共に、前記回路基板に対して前記他の回路素子の領域と同一の厚みで、前記連通孔を通して前記カバー内の空間において、前記非封止回路素子の前記回路基板側のみに前記封止用樹脂を供給する第４工程と、
前記チャンバー内の圧力を前記大気圧に戻したとき、前記空気経路によって前記カバー内外の圧力を同一にし、前記連通孔を介して、前記封止用樹脂が更に前記カバー内に流入しないようにして、前記封止用樹脂を硬化させる第５工程と、を備える車両用制御装置の製造方法。
【請求項９】
前記第５工程の後に、前記空気経路を塞ぐ閉塞部材（１５１、１６１、１６２）を設ける請求項８に記載の車両用制御装置の製造方法。
【請求項１０】
前記封止用樹脂とは異なる他の封止用樹脂（１５１）を前記空気経路に充填することで、前記閉塞部材を形成する請求項９に記載の車両用制御装置の製造方法。
【請求項１１】
前記第５工程において、前記封止用樹脂が硬化する前に、前記回路基板を傾けることで前記封止用樹脂（１５０）の一部を前記空気経路に充填し、前記空気経路を塞ぐ請求項８に記載の車両用制御装置の製造方法。
【請求項１２】
前記閉塞部材は、弾性部材（１６１）から形成された請求項９に記載の車両用制御装置の製造方法。
【請求項１３】
前記閉塞部材は、ネジ部材（１６２）から形成された請求項９に記載の車両用制御装置の製造方法。
【請求項１４】
前記カバーは、前記回路基板上に設けられる回路用部品（１３０Ｃ）と一体的に形成された請求項８〜請求項１３のいずれか１つに記載の車両用制御装置の製造方法。
【発明の詳細な説明】
【技術分野】
【０００１】
本発明は、回路基板上に実装された複数の回路素子を有する車両用制御装置、およびその製造方法に関するものである。
【背景技術】
【０００２】
従来の車両用制御装置として、例えば、特許文献１に記載されたものが知られている。特許文献１の車両用制御装置（電子制御装置）は、基板上に各種回路素子（電子部品）が実装されている。各種回路素子のうち、一部の回路素子は、基板上において封止用樹脂によって樹脂封止されている。また、樹脂封止することが望ましくない回路素子（以下、非封止回路素子）に対しては、その非封止回路素子を覆うようにカバーが設けられ、一部の回路素子から隔離されて、樹脂封止されないようになっている。
【先行技術文献】
【特許文献】
【０００３】
【特許文献１】特開２００６−１９０７２６号公報
【発明の概要】
【発明が解決しようとする課題】
【０００４】
しかしながら、上記特許文献１の制御装置においては、一部の回路素子に対して樹脂を充填する際には、カバー内に封止用樹脂が入り込まないように、カバーの外周端部と基板との間を接着剤等によりシールしている。加えて、非封止回路素子とカバー内壁との間を、接着剤により接合している。接着剤により非封止回路素子とカバーとを接合することで、外部からの振動に対して強度の向上を図るようにしているものと考えられる。
【０００５】
このように、特許文献１では、カバーと基板との間をシールするため、また、振動強度を向上させるために、接着剤を塗布する工程を要するので、製造の手間（工数）がかかるという問題がある。
【０００６】
本発明の目的は、上記問題に鑑み、接着剤の塗布を不要として、一部の回路素子に対する封止用樹脂を活用して非封止回路素子の耐振強度を向上させることのできる車両用制御装置、およびその製造方法を提供することにある。
【課題を解決するための手段】
【０００７】
本発明は上記目的を達成するために、以下の技術的手段を採用する。
【０００８】
第１の発明では、回路基板（１２０）と、
回路基板上に実装された複数の回路素子（１３０）と、
複数の回路素子のうち、樹脂封止することが望ましくない非封止回路素子（１３０Ａ）を覆うカバー（１４０）と、
複数の回路素子のうち、非封止回路素子を除く他の回路素子（１３０Ｂ）を封止する封止用樹脂（１５０）と、を備える車両用制御装置において、
カバーには、回路基板側に設けられて、内外を連通させる連通孔（１４１）が設けられており、
封止用樹脂の一部は、回路基板に対して他の回路素子の領域と同一の厚みで、連通孔を通してカバー内の空間において、非封止回路素子の回路基板側のみに充填されており、
更に、カバーには、封止用樹脂の表面位置よりも上側の領域に、内外を連通させるための空気経路（１４２）が形成されたことを特徴としている。
【０００９】
また、第２の発明では、車両用制御装置の製造方法において、
回路基板（１２０）上に複数の回路素子（１３０）を実装する第１工程と、
複数の回路素子のうち、樹脂封止することが望ましくない非封止回路素子（１３０Ａ）を回路基板上で覆うカバー（１４０）を準備して、カバーの回路基板側にカバーの内外を連通させる連通孔（１４１）と、連通孔の回路基板側とは反対側にカバーの内外を連通させる空気経路（１４２）とを予め設けておき、カバーを、非封止回路素子を覆うように回路基板にセットする第２工程と、
第２工程における回路基板、複数の回路素子、およびカバーをチャンバー（２１０）内に挿入して、チャンバー内を大気圧に対して減圧する第３工程と、
減圧した状態で、複数の回路素子のうち、非封止回路素子を除く他の回路素子（１３０Ｂ）を覆うように流動性のある状態の封止用樹脂（１５０）を供給すると共に、回路基板に対して他の回路素子の領域と同一の厚みで、連通孔を通してカバー内の空間において、非封止回路素子の回路基板側のみに封止用樹脂を供給する第４工程と、
チャンバー内の圧力を大気圧に戻したとき、空気経路によってカバー内外の圧力を同一にし、連通孔を介して、封止用樹脂が更にカバー内に流入しないようにして、封止用樹脂を硬化させる第５工程と、を備えることを特徴としている。
【００１０】
この発明によれば、カバー（１４０）内部の非封止回路素子（１３０Ａ）における回路基板（１２０）側にも封止用樹脂（１５０）の一部を充填するようにしているので、ことさら、回路基板（１２０）とカバー（１４０）との間をシールする必要がなく、従来技術のような接着剤の塗布を不要とすることができる。
【００１１】
また、非封止回路素子（１３０Ａ）の回路基板（１２０）側に封止用樹脂（１５０）の一部が充填されるので、従来技術のような接着剤の塗布を不要として、回路基板（１２０）と非封止回路素子（１３０Ａ）との接合強度を高め、耐振性を向上させることができる。
【００１２】
ここで、封止用樹脂（１５０）を充填させる際に、例えば、大気圧に対して減圧した状態で樹脂回りを向上させる場合では、他の回路素子（１３０Ｂ）、および連通孔（１４１）を介したカバー（１４０）内の一部に、封止用樹脂（１５０）を供給し、その後に大気圧に戻すと、空気経路（１４２）を通して、カバー（１４０）内外の圧力を同一の大気圧にすることができる。よって、連通孔（１４１）を介して、封止用樹脂（１５０）が更にカバー（１４０）内に流入するのを防止して、非封止回路素子（１３０Ａ）の全体が封止用樹脂（１５０）で封止されてしまうことを防止することができる。
【００１３】
尚、上記各手段の括弧内の符号は、後述する実施形態記載の具体的手段との対応関係を示すものである。
【図面の簡単な説明】
【００１４】
【図１】第１実施形態における車両用制御装置の全体構成を示す平面図である。
【図２】図１におけるII−II部を示す断面図である。
【図３】カバーを示す（ａ）は平面図、（ｂ）は側面図、（ｃ）は（ａ）のIIIc−IIIc部を示す断面図である。
【図４】車両用制御装置の製造方法を示す説明図である。
【図５】空気経路がない場合、大気圧に戻したときの封止用樹脂の動きを示す説明図である。
【図６】第２実施形態における空気経路の封止部材の形成要領を示す断面図である。
【図７】第３実施形態における空気経路を閉塞させるための要領を示す断面図である。
【図８】第４実施形態における空気経路の封止部材（弾性部材）を示す断面図である。
【図９】第４実施形態における空気経路の封止部材（ネジ部材）を示す断面図である。
【図１０】第５実施形態におけるカバーと一体化されたコネクタを示す断面図である。
【発明を実施するための形態】
【００１５】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１６】
（第１実施形態）
第１実施形態の車両用制御装置（以下、制御装置）１００を図１〜図５に示す。制御装置１００は、車両に搭載されて、所定の車載機器に対する作動制御を行う装置となっている。所定の車載機器は、例えば、変速用のトランスミッション、あるいは各種アクチュエータ部（モータ部）等である。制御装置１００は、例えば、所定の車載機器をトランスミッションとしたとき、トランスミッションに組付けされて、機電一体化されている。まず、図１〜図３を用いて、制御装置１００の構成について説明する。
【００１７】
制御装置１００は、図１、図２に示すように、ケース１１０、回路基板１２０、回路素子１３０、カバー１４０、および封止用樹脂１５０等を備えている。
【００１８】
ケース１１０は、例えば、樹脂製あるいは金属製で、上側が開口された箱状（直方体）を成しており、回路基板１２０、回路素子１３０、カバー１４０、および封止用樹脂１５０等を内部に収容するようになっている。ケース１１０の底部１１１の四隅の近傍には、後述する製造工程の途中段階で、回路基板１２０を仮固定するためのピン１１２が設けられている。
【００１９】
回路基板１２０は、表面に箔状の配線部が多数形成された四角形の樹脂製板部材であり、種々の回路素子１３０が実装されて、電気回路が形成されるようになっている。回路基板１２０の外周ラインは、ケース１１０の内周ラインとの間に所定の隙間が形成されるような大きさに設定されている。そして、回路基板１２０の四隅には、ケース１１０のピン１１２の先端部が挿入されるためのピン孔１２１が設けられている。
【００２０】
回路素子１３０は、電気回路を構成する要素（電子部品）であり、複数設けられており、回路基板１２０の配線部の所定位置に、それぞれ半田付け等により接合されている。複数の回路素子１３０は、非封止回路素子１３０Ａと、非封止回路素子１３０Ａを除く他の回路素子１３０Ｂとに分類されている。
【００２１】
非封止回路素子１３０Ａは、その全体を樹脂封止することが望ましくない回路素子であり、例えば、コイル１３１、アルミ電解コンデンサ１３２等がある。例えば、アルミ電解コンデンサ１３２においては、通常、防爆弁部を有しており、全体を樹脂封止してしまうと、防爆弁部の機能を生かせなくなることから、樹脂封止することが望ましくない回路素子となっている。非封止回路素子１３０Ａ（１３１、１３２等）は、互いに隣接するように、回路基板１２０上の所定領域に配置されている。
【００２２】
一方、他の回路素子１３０Ｂは、上記のような樹脂封止に対する不都合の生じない一般的な回路素子であり、回路基板１２０に実装された後に、回路素子が覆われるように樹脂封止される回路素子となっている。他の回路素子１３０Ｂとしては、例えば、ＩＣ（Ｉｎｔｅｇｒａｔｅｄ  Ｃｉｒｃｕｉｔ）、トランジスタ、マイクロコンピュータ、抵抗、コンデンサ等があり、回路基板１２０の表裏の全体領域にわたって、配置されている。
【００２３】
また、回路基板１２０には、車載機器と接続されて、各回路素子１３０（１３０Ａ、１３０Ｂ）からの種々の制御用信号を車載機器に対して出力する出力端子部を形成するコネクタ１３０Ｃが設けられている。コネクタ１３０Ｃの接続口は、上側を向くように設定されている。また、コネクタ１３０Ｃは、ここでは、非封止回路素子１３０Ａが配置される領域（後述するカバー１４０）に、隣接するように配置されている。
【００２４】
カバー１４０は、図２、図３に示すように、例えば、樹脂製で、下側（回路基板１２０側）が開口された箱状（直方体）を成しており、非封止回路素子１３０Ａの全体が樹脂封止されないように、非封止回路素子１３０Ａの全体を覆う部材となっている。カバー１４０の開口側端部の周囲は、後述する製造工程の途中段階で、回路基板１２０に仮固定されて、内部空間を形成して、この内部空間に非封止回路素子１３０Ａを収容している。
【００２５】
カバー１４０の開口側端部の周囲（周囲の縦壁）には、カバー１４０によって形成される内部空間と外部（内外）を連通させる連通孔１４１が設けられている。連通孔１４１は、カバー１４０の開口側端部の周方向に沿って複数設けられている。連通孔１４１は、カバー１４０の開口側端部の周方向に等間隔で設けられるのが好ましい。
【００２６】
また、カバー１４０の周囲の縦壁には、連通孔１４１に対して、回路基板１２０側とは反対側（図３（ｃ）中の上側）となる位置に、同様にカバー１４０の内外を連通させる空気経路１４２が設けられている。カバー１４０の空気経路１４２は、図２に示すように、後述する封止用樹脂１５０の表面位置よりも上側の領域に位置するように設けられている。ここでは、空気経路１４２は、カバー１４０に１つ設けられたものとしているが、複数設けられるようにしてもよい。
【００２７】
尚、空気経路１４２には、断面がＵ字状を成して、空気経路１４２を覆うように形成された受け部１４３が設けられている。
【００２８】
封止用樹脂１５０は、例えば、熱硬化性樹脂が使用されており、図２に示すように、ケース１１０内において、回路基板１２０の下側（裏側）と上側（表側）とに供給されて、回路基板１２０の下側および上側における他の回路素子１３０Ｂと、非封止回路素子１３０Ａの回路基板１２０側のみと、を樹脂封止する部材となっている。
【００２９】
次に、図４、図５を加えて、制御装置１００の製造方法を説明する。
【００３０】
１．第１工程
まず、回路基板１２０上のそれぞれ決められた位置に、半田付け等により非封止回路素子１３０Ａ、他の回路素子１３０Ｂ、およびコネクタ１３０Ｃを実装し、電気回路を形成する。
【００３１】
そして、図４（ａ）に示すように、各回路素子１３０Ａ、１３０Ｂ、およびコネクタ１３０Ｃの実装された回路基板１２０をケース１１０にセットする。ここでは、回路基板１２０の四隅のピン孔１２１に、ピン１１２の先端部を挿入することで対応する。この工程により、回路基板１２０は、ケース１１０内で底部１１１から離れた（浮いた）状態で仮固定されることになる。
【００３２】
２．第２工程
次に、図４（ｂ）に示すように、連通孔１４１と空気経路１４２が予め形成されたカバー１４０を準備して、非封止回路素子１３０Ａを覆うように、回路基板１２０に仮固定する。カバー１４０は、回路基板１２０とカバー１４０との間に予め設けた爪部による係合、あるいは凹凸部による嵌合等によって、回路基板１２０に仮固定されることになる。尚、ケース１１０に回路基板１２０（回路基板１２０、各回路素子１３０Ａ、１３０Ｂ、コネクタ１３０Ｃ、およびカバー１４０）がセットされたものを以下、組立て体と呼ぶことにする。
【００３３】
３．第３工程
次に、図４（ｃ）に示すように、真空注型装置２００を用いて、樹脂封止を行う。真空注型装置２００は、組立て体に封止用樹脂１５０を充填させる際に、大気圧に対して減圧した状態で樹脂回りを向上させるものであり、組立て体を収容するチャンバー２１０、チャンバー２１０内を減圧し、後に大気圧に戻す真空ポンプ２２０、および封止用樹脂１５０を供給するディスペンサ２３０等を有している。第３工程においては、まず、組立て体をチャンバー２１０内に挿入し、真空ポンプ２２０の吸引によって、チャンバー２１０内を減圧（真空引き）する。
【００３４】
真空ポンプ２２０の吸引によって、他の回路素子１３０Ｂの周りは減圧され（低圧となり）、同様に、カバー１４０の連通孔１４１によって、カバー１４０内（非封止回路素子１３０Ａの周り）も減圧される（低圧となる）。
【００３５】
４．第４工程
そして、チャンバー２１０内が所定の圧力まで減圧されると、同じく図４（ｃ）に示すように、ディスペンサ２３０から、流動性のある状態の封止用樹脂１５０をケース１１０内に供給する。このとき、封止用樹脂１５０は、ケース１１０の内周ラインと回路基板１２０の外周ラインとの間の隙間を通って、回路基板１２０の下側、更には回路基板１２０の上側に供給されていく。
【００３６】
そして、他の回路素子１３０Ｂは、封止用樹脂１５０によって覆われる。加えて、カバー１４０内の空間においては、回路基板１２０に対して他の回路素子１３０Ｂの領域と同一の厚みで、封止用樹脂１５０が連通孔１４１を通してカバー１４０内に流入する。そして、非封止回路素子１３０Ａの全体ではなく、回路基板１２０側のみ（根本側のみ）が封止用樹脂１５０によって覆われる。このとき、カバー１４０の空気経路１４２は、供給される封止用樹脂１５０の最終的な表面位置よりも上側の領域になるように位置設定されていることから、封止用樹脂１５０によって埋められることはない。
【００３７】
尚、コネクタ１３０Ｃは、非封止回路素子１３０Ａと同様に、回路基板１２０側のみが封止用樹脂１５０によって覆われ、上側を向く接続口は、封止用樹脂１５０によって覆われないようになっている。
【００３８】
５．第５工程
次に、図４（ｄ）に示すように、真空ポンプ２２０によって、チャンバー２１０内の圧力を大気圧に戻す。チャンバー２１０内を大気圧に戻したとき、カバー１４０の空気経路１４２によって、カバー１４０の内部は外部と同一の大気圧となる。よって、連通孔１４１を介して、カバー１４０の外部の封止用樹脂１５０がカバー１４０の内部に流入することがなく、カバー１４０の内部には空間が形成された状態が維持されて、非封止回路素子１３０Ａは、回路基板１２０側のみに封止用樹脂１５０が設けられたものとなる。
【００３９】
そして、組立て体に封止用樹脂１５０を供給したものをチャンバー２１０から取り出す。流動性のある状態の封止用樹脂１５０が硬化すると、制御装置１００として完成される。封止用樹脂１５０によって、ピン１１２と回路基板１２０との間が強固に固定されると共に、回路基板１２０とカバー１４０との間も強固に固定される。また、回路基板１２０とコネクタ１３０Ｃとの間も強固に固定される。
【００４０】
そして、他の回路素子１３０Ｂが、封止用樹脂１５０によって封止され、また、非封止回路素子１３０Ａは、回路基板１２０側のみが封止され、回路基板１２０と強個に固定されたものとなる。
【００４１】
以上のように本実施形態によれば、カバー１４０の内部の非封止回路素子１３０Ａにおける回路基板１２０側にも封止用樹脂１５０の一部を充填するようにしているので、ことさら、回路基板１２０とカバー１４０との間をシールする必要がなく、従来技術のような接着剤の塗布を不要とすることができる。
【００４２】
また、非封止回路素子１３０Ａの回路基板１２０側に封止用樹脂１５０の一部が充填されるので、従来技術のような接着剤の塗布を不要として、回路基板１２０と非封止回路素子１３０Ａとの接合強度を高め、耐振性を向上させることができる。尚、回路基板１２０と非封止回路素子１３０Ａとの半田付け部の領域においても、封止用樹脂１５０により覆われることによって、冷熱繰り返しによる半田の強度低下を抑制することが可能である。
【００４３】
ここで、本実施形態では、封止用樹脂１５０を充填させる際に、真空注型装置２００を用いることで、大気圧に対して減圧した状態で樹脂回りを向上させるようにしている。この場合では、他の回路素子１３０Ｂ、および連通孔１４１を介したカバー１４０内の一部に、封止用樹脂１５０を供給し、その後に大気圧に戻すと、空気経路１４２を通して、カバー１４０内外の圧力を同一の大気圧にすることができる。よって、連通孔１４１を介して、封止用樹脂１５０が更にカバー１４０内に流入するのを防止して、非封止回路素子１３０Ａの全体が封止用樹脂１５０で封止されてしまうことを防止することができる。
【００４４】
即ち、図５に示すように、カバー１４０に空気経路１４２を設けていない場合であると、大気圧に戻したとき、カバー１４０の外部は大気圧となるものの、カバー１４０の内部が低圧のまま残ってしまう。このため、他の回路素子１３０Ｂに供給した封止用樹脂１５０が連通孔１４１を介してカバー１４０内に流入して、非封止回路素子１３０Ａの全体が封止用樹脂１５０によって覆われてしまう。本実施形態では、カバー１４０に空気経路１４２を設けることで、このような不具合を防止できるのである。
【００４５】
尚、空気経路１４２には、空気経路１４２を覆うような受け部１４３を設けているので、カバー１４０の内部に塵や埃等が侵入するのを抑制することができる。受け部１４３に代えて、空気経路１４２をラビリンス（迷路）構造としてもよい。また、制御装置１００が使用される環境によっては（塵や埃等の影響が小さい環境では）、受け部１４３を廃止して、空気経路１４２がそのまま残る形としてもよい。
【００４６】
（第２実施形態）
第２実施形態の制御装置１００Ａを図６に示す。第２実施形態の制御装置１００Ａは、上記第１実施形態の制御装置１００に対して、空気経路１４２に閉塞部材を設けたものである。
【００４７】
閉塞部材は、空気経路１４２を塞ぐ部材であり、例えば、第４工程で使用された封止用樹脂１５０とは異なる封止用樹脂１５１によって形成されている。第２実施形態では、第４、第５工程の後に、再度、封止用樹脂１５１の供給工程を設けて、ディスペンサ２３０によって封止用樹脂１５１を空気経路１４２に供給して空気経路１４２を閉塞するようにしている。尚、封止用樹脂１５１は、流動性のある状態において、受け部１４３によって空気経路１４２から垂れ落ちることなく、空気経路１４２を確実に閉塞するようになっている。
【００４８】
これにより、完成品として空気経路１４２が閉塞されて、制御装置１００Ａが使用される際の、カバー１４０内への塵や埃の侵入の心配を無くすことができる。
【００４９】
（第３実施形態）
第３実施形態を図７に示す。第３実施形態は、上記第１実施形態に対して、封止用樹脂１５０の一部によって、空気経路１４２における閉塞部材を形成するようにしたものである。
【００５０】
具体的には、空気経路１４２を、ケース１１０の外周壁に近い側に配置し（図７（ａ））、以下のような傾斜時の封止用樹脂１５０が空気経路１４２に届きやすいようにしている。そして、第５工程において、図７（ａ）に示すように、流動性のある状態にした封止用樹脂１５０を供給した後に、図７（ｂ）に示すように、封止用樹脂１５０が硬化する前に、空気経路１４２が下側に移動するように、ケース１１０（回路基板１２０）を傾けることで、封止用樹脂１５０の一部を空気経路１４２に充填させるようにしている。封止用樹脂１５０が硬化すると、図７（ｃ）に示すように、封止用樹脂１５０の一部が、空気経路１４２を閉塞する閉塞部材となる。
【００５１】
これにより、専用の封止部材を設けることなく、封止用樹脂１５０を流用した空気経路１４２の閉塞が可能となる。
【００５２】
（第４実施形態）
第４実施形態を図８、図９に示す。第４実施形態は、上記第１実施形態に対して、閉塞部材として、軟質樹脂材やゴム材等から形成される弾性部材１６１（図８）、あるいは、ネジ部材１６２（図９）を用いて、第５工程の後に、空気経路１４２を閉塞するようにしたものである。
【００５３】
これにより、容易に空気経路１４２を閉塞することができる。
【００５４】
（第５実施形態）
第５実施形態の制御装置１００Ｂを図１０に示す。第５実施形態は、上記第１実施形態に対して、カバー１４０は、回路基板１２０上に設けられる回路用部品と一体的に形成されるようにしたものである。ここでは、回路用部品をコネクタ１３０Ｃとしている。尚、回路用部品としては、コネクタ１３０Ｃに限定されるものではなく、種々の回路用部品を一体化の対象とすることができる。
【００５５】
これにより、部品点数を低減すると共に、組付け工数を低減することができる。
【００５６】
（その他の実施形態）
上記各実施形態では、制御装置１００、１００Ａ、１００Ｂの制御対象となる車載機器をトランスミッションとして説明したが、これに限定されることなく、種々の車載機器に適用することができる。
【符号の説明】
【００５７】
１００  車両用制御装置
１２０  回路基板
１３０  回路素子
１３０Ａ  非封止回路素子
１３０Ｂ  他の回路素子
１３０Ｃ  コネクタ（回路用部品）
１４０  カバー
１４１  連通孔
１４２  空気通路
１５０  封止用樹脂
１５１  封止用樹脂（閉塞部材、他の封止用樹脂）
１６１  弾性部材（閉塞部材）
１６２  ネジ部材（閉塞部材）
２１０  チャンバー
【図１】
2018093032.tif 000003
【図２】
2018093032.tif 000004
【図３】
2018093032.tif 000005
【図４】
2018093032.tif 000006
【図５】
2018093032.tif 000007
【図６】
2018093032.tif 000008
【図７】
2018093032.tif 000009
【図８】
2018093032.tif 000010
【図９】
2018093032.tif 000011
【図１０】
2018093032.tif 000012